(57)【特許請求の範囲】
【請求項１】
床上に起立設置され、上部にハウジングを有するスタンド本体にパーティションベルトを引出し可能に設けるとともに、このパーティションベルトの先端側にベルトエンド部を設けたものにおいて、前記スタンド本体のハウジングを周方向に複数区分に区画して、各区分にそれぞれベルトエンド受け部を形成し、各々のベルトエンド受け部にそれぞれベルトエンド部を取り付け得るようにしているとともにベルトエンド部同士が相対移動することがないようにし、
ハウジングの外周を平断面多面体状とし、各区分のそれぞれがそれぞれが長方形をなすとともに、各区分毎に突起形状又は凹状のベルトエンド受け部を形成し、
ベルトエンド部は、先端側に前記各区分をなす長方形の面に密着させることのできる取付面を有し、その取付面に前記ベルトエンド受け部と嵌め合わせることが可能な凹部又は突起を形成していることを特徴とするパーティションスタンド。
【請求項２】
床上に起立設置され、上部にハウジングを有するスタンド本体にパーティションベルトを引出し可能に設けるとともに、このパーティションベルトの先端側にベルトエンド部を設けたものにおいて、前記スタンド本体のハウジングを周方向に複数区分に区画して、各区分にそれぞれベルトエンド受け部を形成し、各々のベルトエンド受け部にそれぞれベルトエンド部を取り付け得るようにしているとともにベルトエンド部同士が相対移動することがないようにし、
ハウジングの外周を平断面櫛歯状にして上下に延びる溝状のベルトエンド受け部を形成し、
ベルトエンド部の先端側に前記ベルトエンド受け部に上下方向から嵌まり合う板状の凸部を設けていること、又は前記ベルトエンド受け部の溝底にフック孔を形成し、そのフック孔に、ベルトエンド部の先端側に形成した爪を係わり合わせるようにしていることを特徴とするパーティションスタンド。
【請求項３】
床上に起立設置され、上部にハウジングを有するスタンド本体にパーティションベルトを引出し可能に設けるとともに、このパーティションベルトの先端側にベルトエンド部を設けたものにおいて、前記スタンド本体のハウジングにベルトエンド受け部材を１つのみ取り付け、このベルトエンド受け部材にベルトエンド部を異なる方向から複数個取り付け得るように構成しているとともにベルトエンド部同士が相対移動することがないように構成したことを特徴とするパーティションスタンド。
【請求項４】
床上に起立設置されるスタンド本体にパーティションベルトを引出し可能に設けるとともに、このパーティションベルトの先端側にベルトエンド部を設けたものにおいて、前記スタンド本体の外周に、ベルトエンド部が所定取付姿勢にあるときに通過し得ずその姿勢から若干姿勢変更したときに通過し得る開口部を設け、その開口部を通過させたベルトエンド部を所定取付姿勢に戻すことによって開口部の開口縁に係わり合わせることができるようにしたことを特徴とするパーティションスタンド。
【請求項５】
床上に起立設置されるスタンド本体にパーティションベルトを引出し可能に設けるとともに、このパーティションベルトの先端側にベルトエンド部を設けたものにおいて、ベルトエンド部の少なくとも一部に弾性変形部を設けるとともに、前記スタンド本体の外周に、弾性変形部が復元状態にあるときに通過し得ず弾性変形したときに通過し得る開口部を設け、その開口部を通過させた弾性変形部を復元させることによって開口部の開口縁に係わり合わせることができるようにしたことを特徴とするパーティションスタンド。
【発明の詳細な説明】
【０００１】
【発明の属する技術分野】
本発明は、パーティションスタンドに係り、更に詳しくは、複数のスタンドを所定間隔を隔てて配置し、これらのスタンド相互間をパーティションベルトで連結して空間を区画することのできるパーティションスタンドに関するものである。
【０００２】
【従来の技術】
従来より、銀行や各種のイベント会場等において、順番待ちのための通路や歩行通路を区画するパーティションスタンドが採用されている。しかして、その構成は、床上に起立設置されるスタンド本体にパーティションベルトを引出し可能に設けるとともに、このパーティションベルトの先端側にベルトエンド部及びベルトエンド受け部を設けているのが一般的である。そして、このようなパーティションスタンドを所定間隔を隔てて複数箇所に配置し、隣接するスタンドの一方から引き出したパーティションベルトのベルトエンド部を他方のベルトエンド受け部に係わり合わせることによって、両スタンド間にパーティションベルトを架け渡すことができるようにしている。
【０００３】
【発明が解決しようとする課題】
ところで、かかる従来のパーティションスタンドには、１つのスタンドと複数のスタンドとの間に同時にパーティションベルトを架け渡すことができるように、スタンド本体に円周方向の溝を設け、この溝をベルトエンド受け部として、複数のベルトエンド部を係わり合わせることができるようにしたものが知られている。
【０００４】
しかしながら、このような構成は、任意の方向にパーティングベルトを架け渡せる利点がある反面、複数のベルトエンド部を同時に係わり合わせたときに、それらのベルトエンド部が移動することによって相対的な位置関係が狂い易いため、このような状態となることを嫌う用途には不向きである。
【０００５】
また、かかるパーティションスタンドにおいては、ベルトエンド部に上下に突没する爪を設けるとともに、この爪を操作する操作部を設けて、爪を没入させた状態で溝に係わり合わせ、その位置で突出させることによって爪を溝の開口縁に係わり合わせるようにしている。
【０００６】
しかしながら、このような構成は、操作が容易な反面、比較的小物部品として構成されるベルトエンド部に更に細かい細工が必要になるので、製造が煩雑でコスト高となることを避けたい場合には好ましいとは言えない。
【０００７】
【課題を解決するための手段】
上記の不具合を解消するために、本発明は、複数のベルトエンド部を、一旦ベルトエンド受け部に取り付けた後は相対的な位置変化が生じないように構成し、また、ベルトエンド部のベルトエンド受け部への脱着構造をベルトエンド部に細かい機構要素を持ち込まずに構成することとしている。
【０００８】
【発明の実施の形態】
そのために、本発明のパーティションスタンドは、先ず基本構成として、床上に起立設置され、上部にハウジングを有するスタンド本体にパーティションベルトを引出し可能に設けるとともに、このパーティションベルトの先端側にベルトエンド部を設けることとしている。
【０００９】
そして、前記スタンド本体のハウジングを周方向に複数区分に区画して、各区分にそれぞれベルトエンド受け部を形成し、それらのベルトエンド受け部にそれぞれベルトエンド部を取り付け得るようにしているとともにベルトエンド部同士が相対移動することがないようにし、ハウジングの外周を平断面多面体状とし、各区分のそれぞれがそれぞれが長方形をなすとともに、各区分毎に突起形状又は凹状のベルトエンド受け部を形成し、ベルトエンド部は、先端側に前記各区分をなす長方形の面に密着させることのできる取付面を有し、その取付面に前記ベルトエンド受け部と嵌め合わせることが可能な凹部又は突起を形成していることを特徴とする。
【００１０】
このようにすれば、１つのパーティションスタンドと複数のパーティションスタンドとの間にベルトエンドを架け渡すことができるので、一対一や多対一のパーティング形態のみならず、多対多のパーティング形態等も有効に実現することができる。しかも、予め所定の位置関係で取り付けたベルトエンド部同士が相対移動することがないので、適正なパーティング状態を的確に維持することができる。
このような作用効果は、前記スタンド本体のハウジングを周方向に複数区分に区画して、各区分にそれぞれベルトエンド受け部を形成し、各々のベルトエンド受け部にそれぞれベルトエンド部を取り付け得るようにしているとともにベルトエンド部同士が相対移動することがないようにし、ハウジングの外周を平断面櫛歯状にして上下に延びる溝状のベルトエンド受け部を形成し、ベルトエンド部の先端側に前記ベルトあエンド受け部に上下方向から嵌まり合う板状の凸部を設けていること、又は前記ベルトエンド受け部の溝底にフック孔を形成し、そのフック孔に、ベルトエンド部の先端側に形成した爪を係わり合わせるように構成しても同様に得ることができる。
【００１１】
さらに、このような作用効果は、前記スタンド本体のハウジングにベルトエンド受け部材を１つのみ取り付け、このベルトエンド受け部材にベルトエンド部を異なる方向から複数個取り付け得るように構成しているとともにベルトエンド部同士が相対移動することがないように構成しても同様に得ることができる。
【００１２】
しかも、このように構成した場合には、スタンド本体それ自体に面倒な加工や特殊な構造を要求しないので、構造簡単にしてコストダウンにも有効なものとなる。
【００１３】
一方、小物部品等として構成されるベルトエンド部に細かい細工を施すことを不要にするには、以下のような構成が有効である。
【００１４】
先ず、スタンド本体の外周に、ベルトエンド部が所定取付姿勢にあるときに通過し得ずその姿勢から若干姿勢変更したときに通過し得る開口部を設け、その開口部を通過させたベルトエンド部を所定取付姿勢に戻すことによって開口部の開口縁に係わり合わせることができるようにしているものが挙げられる。
【００１５】
また、ベルトエンド部の少なくとも一部に弾性変形部を設けるとともに、前記スタンド本体の外周に、弾性変形部が復元状態にあるときに通過し得ず弾性変形したときに通過し得る開口部を設け、その開口部を通過させた弾性変形部を復元させることによって開口部の開口縁に係わり合わせることができるようにしているものが挙げられる。
【００１６】
更に、ベルトエンド部を選択的に保持又は解除する操作部をスタンド本体側に設けておくようにしたものも挙げられる。
【００１７】
【実施例】
以下、本発明の実施例を、図面を参照して説明する。
＜第１実施例＞
この実施例のパーティションスタンドは、図１に示すように、床上に起立設置されるスタンド本体１の上部からパーティションベルト２を引出し可能に設けるとともに、このパーティションベルト２の先端側にベルトエンド部３を取り付けている。スタンド本体１は、円筒状のポール１１と、このポール１１の上部に下端側を挿入して取り付けられるハウジング１２とを備え、ハウジング１２内にはパーティションベルト２を巻取り又は繰り出す図示しないリールが格納されていて、このリールはパーティションベルト２を巻き取る方向にバネ付勢されている。すなわち、パーティションベルト２は、基端がリールに固定され、先端がハウジング１２に形成したスリット１２ａを介して外部に引き出されているもので、その先端に前記ベルトエンド部３を取り付けている。
【００１８】
そして、１つのパーティションスタンドと他の複数のパーティションスタンドとの間にパーティションベルト２を架け渡すことによって、一対一や多対一のパーティング形態のみならず、多対多のパーティング形態等も有効に実現することができるようにしている。
【００１９】
しかして、本実施例はこのような構成を具体的に実現するにあたり、図２に示すように、スタンド本体１１の上部に位置する前記ハウジング１２を周方向に複数の区分１２ｂに区画して、各区分１２ｂにそれぞれベルトエンド受け部４を形成し、各々のベルトエンド受け部４にそれぞれベルトエンド部３を取り付け得るようにしている。
【００２０】
すなわち、ベルトエンド受け部４は、ハウジング１２の外周を平断面多面体状とすることによって、長方形をなす各区分１２ｂ毎に設けられているもので、具体的には各区分１２ｂの上下２箇所から法線方向に突出する突起形状をなしている。一方、ベルトエンド部３は、先端側に前記各区分１２ｂをなす長方形の面に密着させることのできる取付面３１を有し、その取付面３１に突起状のベルトエンド部４を嵌め込むことのできる凹部３２を形成している。そして、これら突起状のベルトエンド受け部４と凹部３２との着脱によって、ベルトエンド部３を、ベルト引出し用のスリット１２ａと干渉しない限りにおいて何れの区分１２ｂにも取り付けることができるようにしている。
【００２１】
このようにすれば、予め所定の位置関係で取り付けたベルトエンド部３同士が相対移動することがないので、適正なパーティング状態を的確に維持することが可能となる。
【００２２】
なお、図３に示すように、ハウジング１２側に凹状のベルトエンド受け部４ａを設け、ベルトエンド部３の取付面３１側に突起３３を設けても、全く同様の効果を奏することができる。また、図４に示すように、ハウジング１２の外周を平断面櫛歯状にして上下に延び且つ奥行方向に次第に広がる溝状のベルトエンド受け部４ｂを形成する一方、ベルトエンド部３の先端側にこの溝状のベルトエンド受け部４ｂに上下方向から嵌まり合う板状の凸部３４を設けておくようにしてもよい。或いは、図５に示すように、溝底にフック孔４ｃ１を有する溝状のベルトエンド受け部４ｃを形成し、そのフック孔４ｃ１に、ベルトエンド部３の先端側に形成した爪３５を係わり合わせてもよい。このように、嵌め合いのための構造は種々の態様によって実現することができる。
＜第２実施例＞
図６に示すパーティションスタンドも、基本的には前記第１実施例で示したものと同様の機能を有するもので、床上に起立設置されるスタンド本体１０１の上部からパーティションベルト１０２を引出し可能に設けるとともに、このパーティションベルト１０２の先端側にベルトエンド部材１０３を取り付けている。スタンド本体１０１は、円筒状のポール１１１と、このポール１１１の上部に下端側を挿入して取り付けられるハウジング１１２とを備え、ハウジング１１２内にはパーティションベルト１０２を巻取り又は繰り出す図示しないリールが格納されていて、このリールはパーティションベルト１０２を巻き取る方向にバネ付勢されている。すなわち、パーティションベルト１０２は、基端がリールに固定され、先端がハウジング１１２に形成したスリット１１２ａを介して外部に引き出されているもので、その先端に前記ベルトエンド部１０３を取り付けている。
【００２３】
そして、１つのパーティションスタンドと他の複数のパーティションスタンドとの間にパーティションベルト１０２を架け渡すことによって、一対一や多対一のパーティング形態のみならず、多対多のパーティング形態等も有効に実現することができるようにしている。
【００２４】
しかして、本実施例はこのような構成を具体的に実現するにあたり、スタンド本体１０１の上部に位置するハウジング１１２の外周にベルトエンド受け部材１０４を取り付け、このベルトエンド受け部材１０４にベルトエンド部１０３を異なる方向から複数個取り付け得るようにしている。
【００２５】
ベルトエンド部１０３は、円柱状をなすものであり、対するベルトエンド受け部材１０４には、図７に示すように前記ベルトエンド部１０３を上下方向のみから係わり合わせることのできる部分円筒状の凹部１４１がその開口１４１ａの方向を９０°ピッチで異ならせて３箇所に形成してある。そして、これらの凹部１４１に円柱状のベルトエンド部１０３を保持させ、開口１４１ａからパーティションベルト１０２を引き出すことによって、直交３方向にパーティションベルト１０２を架け渡すことができるようにしている。
【００２６】
このように構成しても、前記第１実施例と同様に、予め所定の位置関係で取り付けたベルトエンド部１０３同士が相対移動することがないので、適正なパーティング状態を的確に維持することが可能となる。
【００２７】
しかも、このように構成した場合には、ベルトエンド受け部材１０４は樹脂等によって簡単に作れ、通常金属により構成されるスタンド本体１１２それ自体は面倒な加工や特殊な構造を要求しないので、構造簡単でコストダウンを図ることも容易なものとなる。このベルトエンド受け部材１０４をスタンド本体１１２の外周に沿って回転可能に設けてもよい。このようにすれば、各ベルトエンド部１０３の相対的な位置関係を変えずに、それらの方位を同時に変更することができる。
＜第３実施例＞
図８に示すものは、ベルトエンド部２０３に細かい細工を施さずに、該ベルトエンド部２０３をベルトエンド受け部２０４に係わり合わせることができるようにしたものである。
【００２８】
ベルトエンド部２０３は、樹脂等により作られた概略直方体状のものである。これに対して、ハウジング２１２の上端と下端との間における外周に、ベルトエンド部２０３が起立姿勢にあるときに通過し得ずその姿勢から水平方向に回転させたときに通過し得る開口部２４１を設けている。この開口部２４１の上部開口縁２４１ａ及び下部開口縁２４１ｂのそれぞれ裏側は、開口幅よりも大きな空間Ｓが形成してある。そして、その開口部２４１を通過させたベルトエンド部２０３を起立姿勢に戻すことによって、該ベルトエンド部２０３の上下両端を対応する開口縁２４１ａ、２４１ｂの裏側の空間Ｓに挿入して係わり合わせることができるようにしている。
【００２９】
このように構成すれば、小物部品として構成されるベルトエンド部２０３に細かい細工を施すことが不要になるので、制作容易で取扱いにも優れたものにすることができる。
【００３０】
なお、同図に示すように、所定回転位置でベルトエンド部２０３のそれ以上の回転を禁止するストッパ２４２を設けておいてもよい。また、図ではベルトエンド部２０３を円環状の隙間Ｓに入れ易いように内側が部分円弧状に湾曲させてあるが、端部に丸みをもたせても同様の効果を得ることができる。
＜第４実施例＞
図９に示すものも、ベルトエンド部３０３に細かい細工を施さずに、該ベルトエンド部３０３をベルトエンド受け部３０４に係わり合わせることができるようにしたものである。
【００３１】
すなわち、ベルトエンド部３０３の上下両端に軟質樹脂等により作った突起状の弾性変形部３３１を設けるとともに、ハウジング３１２の外周に弾性変形部３３１が復元状態にあるときに通過し得ず弾性変形したときに通過し得る開口部３４１を設け、その開口部３４１を通過させた弾性変形部３３１を復元させることによって開口部３４１の開口縁３４１ａ、３４１ｂに係わり合わせることができるようにしたものである。
【００３２】
このように構成しても、小物部品として構成されるベルトエンド部３０３に細かい細工を施すことを不要にすることができ、制作容易で取扱いにも優れたものにすることができる。
【００３３】
なお、このようなベルトエンド部３０３に代えて、図１０に示すようなベルトエンド部４０３を用いることも有効である。このベルトエンド部４０３は、内部に中空部を設けて全体が上下方向に伸縮し得る弾性変形部を兼ねているもので、全体を指等で圧縮することによって経過的に上下寸法を縮め、開口部４４１を通過後に復元させて開口縁に係わり合わせることができるものである。このようにしても、上記と同様の作用効果を奏することができる。
【００３４】
以上、本発明の幾つかの実施例について説明したが、各部の具体的な構成は図示実施例のものに限定されるものではなく、本発明の趣旨を逸脱しない範囲で種々変形が可能である。例えば、図１１に示すように、スタンド５０１を構成するポール５１１に対してハウジング５１２を回転可能に設ければ、一旦取り付けたベルトエンド部５０３の相対的な位置関係を狂わさずにベルトエンド部５０３の取付方位を一斉に変更することができ、且つベルトエンド部５０３とベルトエンド受け部５０４の間に見栄えの悪い係わり構造を不要にして外観を有効に整えることができる。
【００３５】
また、小物部品等として構成されるベルトエンド部５０３に細かい細工を施すことを不要にするには、ベルトエンド部５０３を選択的に保持又は解除する操作部６００をハウジング５１２側に設けておく構成を採用することも有効である。
【００３６】
【発明の効果】
本発明は、以上説明したような形態で実施され、以下に記載されるような効果を奏する。
【００３７】
先ず、この種のパーティションスタンドとしての一般的構成を備えた上で、前記スタンド本体のハウジングを周方向に複数区分に区画して、各区分にそれぞれベルトエンド受け部を形成し、それらのベルトエンド受け部にそれぞれベルトエンド部を取り付け得るようにしているとともにベルトエンド部同士が相対移動することがないようにし、ハウジングの外周を平断面多面体状とし、各区分のそれぞれがそれぞれが長方形をなすとともに、各区分毎に突起形状又は凹状のベルトエンド受け部を形成し、ベルトエンド部は、先端側に前記各区分をなす長方形の面に密着させることのできる取付面を有し、その取付面に前記ベルトエンド受け部と嵌め合わせることが可能な凹部又は突起を形成した場合、及び前記スタンド本体のハウジングを周方向に複数区分に区画して、各区分にそれぞれベルトエンド受け部を形成し、各々のベルトエンド受け部にそれぞれベルトエンド部を取り付け得るようにしているとともにベルトエンド部同士が相対移動することがないようにし、ハウジングの外周を平断面櫛歯状にして上下に延びる溝状のベルトエンド受け部を形成し、ベルトエンド部の先端側に前記ベルトあエンド受け部に上下方向から嵌まり合う板状の凸部を設けていること、又は前記ベルトエンド受け部の溝底にフック孔を形成し、そのフック孔に、ベルトエンド部の先端側に形成した爪を係わり合わせるようにした場合には、通常のパーティションスタンドとしての機能を有効に発揮し得る上に、予め所定の位置関係で取り付けたベルトエンド部同士が相対移動することがないので、適正なパーティング状態を的確に維持するというより有用な効果を奏することができる。
【００３８】
一方、スタンド本体のハウジングにベルトエンド受け部材を１つのみ取り付け、このベルトエンド受け部材にベルトエンド部を異なる方向から複数個取り付け得るように構成しているとともにベルトエンド部同士が相対移動することがないように構成した場合には、上記と同様の効果を奏する上に、剛性を付与する必要のあるスタンド本体それ自体に面倒な加工や特殊な構造を要求しないので、構造簡単であり、コスト削減を図る上でも有効なものとなる。
【００３９】
また、スタンド本体に開口部を設け、この開口部に対してベルトエンド部を、所定取付姿勢にあるときに通過し得ずその姿勢から若干姿勢変更したときに通過し得るように構成すれば、小物部品等として構成されるベルトエンド部に細かい細工を施す必要がないので、工程の簡略化やコスト削減を図る上で有効なものとなる。
【００４０】
このような効果は、開口部に対して、ベルトエンド部の少なくとも一部に経過的に開口部を通過し得る弾性変形部を設けた場合や、ベルトエンド部を選択的に保持又は解除する操作部をスタンド本体側に設けた場合にも同様のものとなる。
【図面の簡単な説明】
【図１】本発明の第１実施例を示す模式的な斜視図。
【図２】同実施例の要部を示す図。
【図３】同実施例の変形例を示す図。
【図４】同実施例の他の変形例を示す図。
【図５】同実施例の更に他の変形例を示す図。
【図６】本発明の第２実施例を示す模式的な斜視図。
【図７】同実施例の要部を示す図。
【図８】本発明の第３実施例を示す模式的な斜視図。
【図９】本発明の第４実施例を示す原理図。
【図１０】同実施例の変形例を示す図。
【図１１】本発明の上記以外の変形例を示す図。
【符号の説明】
１、１０１、５０１…スタンド本体
２、１０２…パーティションベルト
３、１０３、２０３、３０３、４０３、５０３…ベルトエンド部
４、２０４、５０４…ベルトエンド受け部
１２ｂ…区分
１０４…ベルトエンド受け部材
２４１、３４１…開口部
２４１ａ、２４１ｂ、３４１ａ、３４１ｂ…開口縁
３３１、４０３…弾性変形部
【図１】
0003694723.tif 000002
【図２】
0003694723.tif 000003
【図３】
0003694723.tif 000004
【図４】
0003694723.tif 000005
【図５】
0003694723.tif 000006
【図６】
0003694723.tif 000007
【図７】
0003694723.tif 000008
【図８】
0003694723.tif 000009
【図９】
0003694723.tif 000010
【図１０】
0003694723.tif 000011
【図１１】
0003694723.tif 000012